(57)【要約】【課題】電線管を取り付けることができて、且つ施工のし易い配線器具取付部材を提供する。【解決手段】壁裏の造営材に取り付けるための造営材取付部２と、造営材取付部から連設されて配線器具を取り付けるための配線器具取付部４を有する連設部３とを備え、連設部に管Ｃを保持する管保持部５を設け、造営材取付部２の先端面からは、木製柱や桟などの造営材Ａに食い込んで位置ずれを防止するための、７箇所の楔状の爪部２１が形成されている。【選択図】図１
2008125350.tif 000002
【特許請求の範囲】
【請求項１】
壁裏の造営材に取り付けるための造営材取付部と、造営材取付部から連設されて配線器具を取り付けるための配線器具取付部を有する連設部と、を備え、前記連設部には、管を保持する管保持部を設け、前記造営材取付部、連設部、管保持部の、壁裏面に対向する部分に、壁裏面に食い込み係止し得る滑り止め部を設けてなる配線器具取付部材。
【請求項２】
前記造営材取付部、連設部は、大略矩形状をなすよう設けてなる請求項１記載の配線器具取付部材。
【請求項３】
前記造営材取付部、連設部は、少なくとも一部の角部を大略円弧状に設けてなる請求項２記載の配線器具取付部材。
【請求項４】
前記造営材取付部、連設部の、壁裏面に対向する部分に、張り出し縁部を設けてなる請求項１乃至３記載の配線器具取付部材。
【請求項５】
前記造営材取付部、連設部に、強度を向上させる補強部を設けてなる請求項１乃至４記載の配線器具取付部材。
【請求項６】
前記造営材取付部、連設部に、ケーブルを内方に保持するケーブル保持部を設けてなる請求項１乃至５記載の配線器具取付部材。
【請求項７】
前記ケーブル保持部は、ケーブルを側方から導入し得るよう導入部を設けてなる請求項６記載の配線器具取付部材。
【請求項８】
前記ケーブル保持部は、導入部近傍に、ケーブルの脱落を防止する引っ掛かり部を設けてなる請求項７記載の配線器具取付部材。
【請求項９】
前記ケーブル保持部は、導入部を、内方から外方に向かう方向にケーブルが導入されるよう設けてなる請求項７又は８記載の配線器具取付部材。
【発明の詳細な説明】
【技術分野】
【０００１】
本発明は、壁裏に配置されて、壁表側から配線器具が取り付けられる配線器具取付部材に関する。
【背景技術】
【０００２】
従来の配線器具取付部材として、住宅用スイッチボックスなるものがある。住宅用スイッチボックスは、底面と周壁とから大略箱状をなし壁裏に配設されるもので、同じく壁裏に配管される可とう電線管の接続も可能であり、壁表面側からは、配線器具保持プレートを介して、壁スイッチや壁コンセントなどを取り付けることができるようにされている。
【０００３】
また、実願平５−４４４８８号公報には、スイッチボックスに代わるものとして、図２０に示すスイッチベースが記載されている。このスイッチベースは、スイッチベースを壁面に固定するための構造と、配線器具保持プレートを支持するための棒状の構造と、配線器具に結線される電線を挿通させる構造とを備えている。
【特許文献１】実願平５−４４４８８号公報
【発明の開示】
【発明が解決しようとする課題】
【０００４】
しかしながら、住宅用スイッチボックスにあっては、電線管の接続には接続部品を必要とするとともに、ボックスであるがために、結線作業が壁表側からしかできないという問題点があった。また、住宅用スイッチボックスは、配線器具や電線を良好に収容するために所定の深さを必要とし、そのため壁裏の奥行スペースが狭いとき、設置できない場合があった。
【０００５】
一方、図２０に示したスイッチベースでは、壁裏側から結線作業が可能で、壁裏の奥行スペースがない場合にも対応できる余地があるが、配線に先立って可とう電線管が配管される場合に、管を保持しておくことができないという問題点がある。
【０００６】
本発明は上記の問題点を解決するためになされたもので、その目的とするところは、良好に使用することができる配線器具取付部材を提供することにある。
【課題を解決するための手段】
【０００７】
本発明の配線器具取付部材は、壁裏の造営材に取り付けるための造営材取付部と、造営材取付部から連設されて配線器具を取り付けるための配線器具取付部を有する連設部と、を備え、前記連設部には、管を保持する管保持部を設け、造営材取付部、連設部、管保持部の、壁裏面に対向する部分に、壁裏面に食い込み係止し得る滑り止め部を設けてなる構成としている。
【０００８】
また、造営材取付部、連設部は、大略矩形状をなすよう設けてなる構成としている。
【０００９】
また、造営材取付部、連設部は、少なくとも一部の角部を大略円弧状に設けてなる構成としている。
【００１０】
また、造営材取付部、連設部の、壁裏面に対向する部分に、張り出し縁部を設けてなる構成としている。
【００１１】
また、造営材取付部、連設部に、強度を向上させる補強部を設けてなる構成としている。
【００１２】
また、造営材取付部、連設部に、ケーブルを内方に保持するケーブル保持部を設けてなる構成としている。
【００１３】
また、ケーブル保持部は、ケーブルを側方から導入し得るよう導入部を設けてなる構成としている。
【００１４】
また、ケーブル保持部は、導入部近傍に、ケーブルの脱落を防止する引っ掛かり部を設けてなる構成としている。
【００１５】
また、ケーブル保持部は、導入部を、内方から外方に向かう方向にケーブルが導入されるよう設けてなる構成としている。
【発明の効果】
【００１６】
本発明の配線器具取付部材は上述のように構成されているので、壁裏側からの結線作業ができ、壁裏のスペースが狭い場合にも配置することができ、しかも、配線に先行して配管が行われる場合には管を保持することができる等、従来の問題を解決して良好に使用することができる。また、造営材取付部、連設部、管保持部の、壁裏面に対向する部分に、壁裏面に食い込み係止し得る滑り止め部を設けることにより、取り付けられる壁材に対して滑りにくくなり施工安定性が向上する、優れる配線器具取付部材を提供できる。
【発明を実施するための最良の形態】
【００１７】
以下、本発明に係る配線器具取付部材として、配線器具を取り付けるための配線器具取付プレートと電線管とを取り付けることができる配管取付枠の、第１の実施の形態を図１乃至図５に基づいて、第２の実施の形態を図６および図７に基づいて、第３の実施の形態を図８乃至図１３に基づいて、第４の実施の形態を図１４乃至図１６に基づいて、第５の実施の形態を図１７乃至図１９に基づいて、それぞれ詳細に説明する。
【００１８】
［第１の実施の形態］
図１は配管取付枠を前方から見た斜視図、図２は配管取付枠を後方から見た斜視図である。図３は配管取付枠を示す図であり、図３（ａ）は平面図、（ｂ）は正面図である。図４は配管取付枠を造営材に取り付けた状態を示す正面図、図５は配管取付枠の使用状態を示す正面図である。
【００１９】
配管取付枠１は、合成樹脂製の成形品であり、造営材取付部２と、連設部に相当する枠体部３と、配線器具取付部４と、管保持部５と、ケーブル保持部６と、を備えている。枠体部３は正面視略長方形の筒状のものである。造営材取付部２は、配管取付枠１を壁裏の木製柱や桟などの造営材Ａ（図４、図５参照）に取り付けるためのもので、枠体部３の一方の長辺に形成されている。造営材取付部２は、これに限定するものではないが、このものにあっては、枠体部３の後端から前方へ切り込んで形成した、側面視略Ｕ字形の三箇所の切欠２０を備えている。造営材取付部２は、皿木ねじＢ（図４参照）などでねじ取り付けされたときに割れが生じないよう補強リブ状に肉が厚くされており、切欠２０の内側端には傾斜面を形成する面取り２０ａが施されている。また、造営材取付部２の先端面からは、木製柱や桟などの造営材Ａに食い込んで位置ずれを防止するための、７箇所の楔状の爪部２１が形成されている。
【００２０】
配線器具取付部４は、枠体部３の両短辺内側中央の奥行き方向に長い、矩形突出部として形成され、中央には配線器具取付プレートを取り付けるための取付ねじ孔４０が設けられている。また、配線器具取付部４は、両側面に、管保持部５の一部を形成するところの、可撓電線管Ｃ（図５参照）の波形管壁の谷部に係止して可撓電線管Ｃの軸方向の変位を防止する、ずれ防止部４１が形成されている。なお、これに限定するものではないが、このものにあっては、取付ねじ孔４０はインサートされたナットによって形成されている。
【００２１】
管保持部５は、枠体部３の両短辺に二箇所づつ、配線器具取付部４の側面に接するようにして枠体部３の後端から前方へ切り込んだ、平面視略Ｕ字形の切欠部として形成される。しかも、それぞれの管保持部５の外側壁の後端には、可撓電線管Ｃを押さえる逃げ防止部５０が、可撓電線管Ｃを巻き込むことができるように、突出形成されている。また、逃げ防止部５０に弾性を付与するために、枠体部３の後端から、細い切り込み部５１が設けられている。
【００２２】
ケーブル保持部６は、枠体部３の他方の長辺後端の二箇所からそれぞれ内側に略Ｕ字形に突出され、側壁との間でＶＶＦケーブルＤ（図５参照）などを保持できる断面Ｕ字形の空間部として形成されている。また、ケーブル保持部６の形成されている辺の後端は、造営材取付部２の形成されている辺の後端よりも手前側で終わるように形成されており、ドライバーなどの工具を皿木ねじＢの頭に垂直に当てることができ、皿木ねじＢをねじ締めし易いように配慮されている。
【００２３】
次に、上述のように構成される配管取付枠１の使用方法を、図４乃至図５を用いて説明する。作業者は、先ず、配管取付枠１の取り付け位置を決定する。そして、皿木ねじＢを途中まで造営材Ａにねじ込んで、皿木ねじＢの頭を造営材Ａから浮かした状態に皿木ねじＢを取り付ける。その後、造営材取付部２の切欠２０に皿木ねじＢの首下部を挿入して、配管取付枠１を皿木ねじＢに引っ掛け、それから、皿木ねじＢを強く締めつける。すると、爪部２１が造営材Ａに食い込み、配管取付枠１は造営材Ａに固定されて、図４に示すような状態になる。
【００２４】
その後、情報ケーブルなどを通す可撓電線管Ｃを配管し、可撓電線管Ｃの波形管壁の谷部を、配線器具取付部４の側面に形成されているずれ防止部４１に添わせながら、管保持部５に可撓電線管Ｃの端部を押しつける。すると、可撓電線管Ｃが弾性で歪むとともに逃げ防止部５０が管保持部５を拡張する方向に撓むので、可撓電線管Ｃの端部は管保持部５に納まり、いったん管保持部５に納まった可撓電線管Ｃの端部は、逃げ防止部５０が有効に作用して後方に外れないとともに、ずれ防止部４１が有効に作用して可撓電線管Ｃの軸方向にも外れない。
【００２５】
また、商用電源を配線するためのＶＶＦケーブルＤを、配管取付枠１のケーブル保持部６に保持させながら、配線作業を進める。ＶＶＦケーブルＤは、ケーブル保持部６に保持されているので、配管取付枠１の位置からずれてしまうことがない。
【００２６】
このようにして、配管取付枠１に可撓電線管ＣやＶＶＦケーブルＤを保持させる配線工事が終了すると、内装工事としての壁張り作業が行われる。そして、壁張り作業工程が終了すると、作業者は、保持されているＶＶＦケーブルＤを室内側に引き出して壁スイッチや壁コンセントに接続するとともに、可撓電線管Ｃから引き出した情報ケーブルを情報コンセントに接続する。そして、作業者は、配線器具取付部４の取付ねじ孔４０，４０を用いて配線器具取付プレート（図示せず）をねじ止めするとともに、壁スイッチ、壁コンセント、情報コンセントなどの取付工事を行う。また、将来、情報コンセントなどとして使用する目的であれば、とりあえずブランクパネルなどを取り付けて目隠しを行う。
【００２７】
つまり、上述のような配管取付枠１にあっては、壁張り作業が終わってから配線器具を配管取付枠１に取り付ける際に、電源線としてのＶＶＦケーブルＤを室内側に簡単に取り出すことができるとともに、可撓電線管Ｃから情報ケーブルを簡単に引き出すことができるので、配線器具である壁スイッチ、壁コンセント、情報コンセントなどの取付工事を効率良く行うことができる。
【００２８】
なお、図５にあっては、配管取付枠１に壁スイッチＳを取り付けた状態を示し、上半分は壁を破砕した状態で示しており、Ｓ0 はフラッシュプレートである。
【００２９】
かかる構成によれば、配線器具取付プレートを取り付けることができるとともに、電線管が取り付けられる、施工がし易く便利な配線器具取付部材を提供できる。すなわち、壁裏の造営材に取り付けるための造営材取付部と、造営材取付部から連設されて配線器具を取り付けるための配線器具取付部を有する連設部とを備え、連設部に管を保持する管保持部を設けることにより、表面側からでも裏面側からでも結線が行えて且つ薄い壁内にも設置できるという、取付枠の利点を生かしつつ、管をも保持させることができ、配線前の先行配管を良好に行い得る、優れる配線器具取付部材を提供できる。また、管保持部は管が挿通する切欠部と切欠部からの管の逃げを防止する逃げ防止部とからなることにより、管を管保持部に直接保持させることが可能な、優れる配線器具取付部材を提供できる。また、管保持部に、波形の管壁を有する管の谷部に係止して、管の軸方向の変位を防止するずれ防止部を設けることにより、管の軸方向の変位を防止して、管を確実に保持させ得る、優れる配線器具取付部材を提供できる。また、連設部に、ケーブルを保持するケーブル保持部を設けることにより、ケーブルを保持させ得るので、配線器具取付時の結線作業が行い易くなる、優れる配線器具取付部材を提供できる。
【００３０】
［第２の実施の形態］
図６は配管取付枠を前方から見た斜視図、図７は配管取付枠への管の取り付け状態を示す要部側面図である。なお、前述の第１の実施の形態と同等の箇所には同じ符号を付してある。
【００３１】
配管取付枠１は、板金製のものであり、造営材取付部２と、連設部に相当する枠体部３と、配線器具取付部４と、管保持部に相当する縛り部材５と、を備えている。枠体部３は、正面視略コ字形のもので、このコ字形の橋絡辺は造営材取付部２と共用されている。造営材取付部２は、配管取付枠１を壁裏の木製柱や桟などの造営材Ａに取り付けるためのものである。造営材取付部２は、後端から前方へ切り込んで形成した、木ねじなどにて取り付けするための、三箇所の切欠２０を備えている。
【００３２】
枠体部３は、造営材取付部２の前端２３と、この前端２３の両端から直角に折り曲げられて形成された２本の支柱部２４，２５と、を含んで構成されている。支柱部２４，２５には、対向する位置に配線器具取付部４が例えば３箇所づつ突出形成され、それぞれの配線器具取付部４の中央には取付ねじ孔４０が穿設されている。また、それぞれの配線器具取付部４の裏面近傍には、縛り部材５が取着されている。縛り部材５としては樹脂製結束バンドや紐などが利用される。なお、図７にあっては、縛り部材５は樹脂製結束バンドであって、この樹脂製結束バンドで可撓電線管Ｃの端部を縛った状態を示している。
【００３３】
次に、上述のように構成される配管取付枠１の使用方法を、図６および図７を用いて説明する。作業者は、先ず、配管取付枠１の取付位置を決定し、切欠２０に木ねじを通して造営材Ａにねじ締めを行い、配管取付枠１を造営材Ａに固定する。
【００３４】
その後、情報ケーブルなどを通すための可撓電線管Ｃを配管し、可撓電線管Ｃの端部を縛り部材５によって縛って、可撓電線管Ｃの端部を枠体部３に固定する。また、商用電源を配線するためのＶＶＦケーブルＤを、縛り部材５によって縛って、枠体部３に固定することもできる。
【００３５】
このようにして、配管取付枠１に可撓電線管ＣやＶＶＦケーブルＤを保持させる配線工事が終了すると、内装工事としての壁張り作業が行われる。そして、壁張り作業工程が終了すると、作業者は、保持されているＶＶＦケーブルＤを引き出して壁スイッチや壁コンセントに接続するとともに、可撓電線管Ｃから引き出した情報ケーブルを情報コンセントに接続する。そして、作業者は、配線器具取付部４の取付ねじ孔４０，４０を用いて配線器具取付プレート（図示せず）をねじ止めするとともに、壁スイッチ、壁コンセント、情報コンセントなどの取付工事を行う。また、将来、情報コンセントなどとして使用する目的であれば、とりあえずブランクパネルなどを取り付けて目隠しを行う。
【００３６】
つまり、上述のような配管取付枠１にあっては、壁張り作業が終わってから配線器具を配管取付枠１に取り付ける際に、電源線としてのＶＶＦケーブルＤを簡単に取り出すことができるとともに、可撓電線管Ｃから情報ケーブルを簡単に引き出すことができるので、配線器具である壁スイッチ、壁コンセント、情報コンセントなどの取付工事を効率良く行うことができる。
【００３７】
かかる構成によれば、管保持部は、連設部に縛り部材を取り付けてなることにより、異なる径の管にも対応可能な、優れる配線器具取付部材を提供できる。
【００３８】
［第３の実施の形態］
図８は配管取付枠を前方から見た斜視図、図９は配管取付枠を後方から見た斜視図である。図１０は配管取付枠を示す図であり、図１０（ａ）は平面図、（ｂ）は正面図、（ｃ）は側面図である。図１１は配管取付枠の背面図、図１２は配管取付枠を造営材に取り付けた状態を示す正面図、図１３は配管取付枠を石膏ボート等に取り付けるための方法を示す説明図である。
【００３９】
配管取付枠１は、合成樹脂製の成形品であり、造営材取付部２と、連設部に相当する枠体部３と、配線器具取付部４と、管保持部５と、ケーブルを仮保持するケーブル保持部６と、を備えている。
【００４０】
枠体部３は正面視略矩形状の筒状のものである。造営材取付部２は、配管取付枠１を壁裏の木製柱や桟などの造営材Ａ（図１２参照）に取り付けるためのもので、枠体部３の一方の長辺に形成されている。枠体部３の他方の長辺両端の角部は円弧状に形成されている。また、円弧状に形成されている角部の辺の後端は、造営材取付部２が形成されている辺の後端よりも手前側で終わるようにされており、ドライバーなどの工具を皿木ねじＢの頭に垂直に当てることができ、皿木ねじＢをねじ締めし易いように配慮されている。
【００４１】
造営材取付部２は、これに限定するものではないが、このものにあっては、枠体部３の後端から前方へ切り込んで形成した、側面視略Ｕ字形の三箇所の切欠２０を備えている。造営材取付部２は、図４に示した第１の実施形態と同様に、皿木ねじＢなどでねじ取り付けされたときに割れが生じないよう補強リブ状に肉が厚くされており、切欠２０の内側端には傾斜面を形成する面取り２０ａが施されている。また、造営材取付部２の先端面には、木製柱や桟などの造営材Ａに食い込んで位置ずれを防止するための、５箇所の略円錐状の爪部２１が形成されている。さらに、連設部に相当する枠体部３の前方側の端面には、石膏ボードなどに食い込んで位置ずれを防止するための、４箇所の略円錐状の爪部３１が形成されている。ただし、爪部２１及び爪部３１は図に示す形状に限定されるものではない。
【００４２】
配線器具取付部４は、枠体部３の両短辺内側中央の奥行き方向に長い、突出部として形成され、中央には配線器具取付プレートを取り付けるための取付ねじ孔４０が設けられており、例えば、取付ねじ孔４０はインサートされたナットによって形成されている。
【００４３】
管保持部５は、枠体部３の両短辺に一箇所づつ、配線器具取付部４の側面に接するようにして枠体部３の後端から前方へ切り込んだ、大略半筒状の切欠部として形成されており、その内面に、可撓電線管Ｃの谷部に嵌合して管を挟持する挟持突部５１が複数設けられている。図１に示した実施の形態のずれ防止部４１は、可撓電線管Ｃの谷部に係止して可撓電線管の軸方向のずれを防止するものであったが、挟持突部５１は、より深く可撓電線管Ｃの谷部に嵌合して管を挟持するように構成されているため、可撓電線管Ｃの保持力を高めることができ、可撓電線管Ｃの外れに対する取付強度の向上を図ることができる。
【００４４】
また、図１１に示すように、管保持部５の内面には、段差部５２が設けられており、管保持部５の、枠体部３の枠の内側に近い部分５３が、管保持部５の、枠体部３の枠の外側に近い部分５４に比べて、筒の直径が小さくなるように形成されている。このように構成することによって、２種類の異なる径の可撓電線管Ｃを確実に保持することができる。但し、図に示した実施形態に限定されず、段差部は複数設けるように構成してもよい。
【００４５】
ケーブルを仮保持するケーブル保持部６は、枠体部３の他方の長辺後端の二箇所と、配線器具取付部４の取付ねじ孔４０の開口近傍との間にそれぞれ形成された梁状の部分６１と、円弧状に形成された枠体部３の角部の枠とで形成されており、施工時、梁状の部分６１と、Ｒが形成された枠体部３の角部の枠とで形成される開口内に電線を挿通させ仮保持させておくことにより、室内側からの結線作業を容易に行うことができる。
【００４６】
次に、上述のように構成される配管取付枠１の取り付け方法を図１２に基づいて説明する。図１２は、配管取付枠１を造営材Ａに取り付けた状態を示す図で、図１に示した実施の形態と同様に、皿木ねじＢ（図示せず）の首下部を、造営材取付部２の切欠２０に挿通させ皿木ねじＢを強く締めつける。すると、造営材取付部２の先端面に形成された円錐状の爪部２１が、木製柱や桟などの造営材Ａに食い込んで位置ずれを防止する。
【００４７】
その後、情報ケーブルなどを通す可撓電線管Ｃを配管し、可撓電線管Ｃの波形管壁の谷部に、管保持部５の挟持突部５１が嵌まり込むように、管保持部５に可撓電線管Ｃの端部を押しつけ管保持部５に可撓電線管Ｃを嵌合させる。
【００４８】
また、商用電源を配線するためのＶＶＦケーブルＤを、梁状の部分６１と、Ｒが形成された枠体部３の角部の枠とで形成される開口内に挿通させ、ケーブル保持部６に仮保持させておく。これにより、ＶＶＦケーブルＤは、配管取付枠１の取付位置からずれてしまうことがなく、室内側にＶＶＦケーブルＤを引き出して壁スイッチや壁コンセントに接続する際、壁裏のＶＶＦケーブルＤを手探りで手繰り寄せるということがなくなるので作業性の向上が図れる。このように、図１２に示す配管取付枠１にあっては、壁張り作業が終わってから配線器具を配管取付枠１に取り付ける際に、電源線としてのＶＶＦケーブルＤを簡単に取り出すことができるとともに、配管取付枠１に取り付けられた可撓電線管Ｃから情報ケーブルを簡単に引き出すことができるので、配線器具である壁スイッチ、壁コンセント、情報コンセントなどの取付工事を効率良く行うことができる。
【００４９】
次に、図１３に基づいて、図８に示した配管取付枠１を石膏ボード等に取り付ける場合について説明する。図１３は、室内側に配置した配線器具取付プレート８と、壁裏に配置した配管取付枠１とで石膏ボード７を挟持するように施工したものである。つまり、室内側から、ねじ９を、配線器具取付プレート８のねじ挿通孔８１、及び、石膏ボード７に形成された取付口７１を介して、配管取付枠１の取付ねじ孔４０に螺合させ、ねじ９を締め付ける。これにより、連設部に相当する枠体部３の前方側の端面に形成された略円錐状の爪部３１が、石膏ボード７に食い込むので、配管取付枠１及び配線器具取付プレート８の位置ずれを防止することができ、確実に固定することができる。
【００５０】
かかる構成によれば、管保持部は、大略半筒状に形成するとともに、その内面に、管の谷部に嵌合して管を挟持する挟持突部を設けることにより、管の保持安定性が向上する、優れる配線器具取付部材を提供できる。また、管保持部は、その内面に段差部を設けることにより、複数種類の径の管を保持することができ、使い勝手が向上する、優れる配線器具取付部材を提供できる。また、造営材取付部または連設部は、配線器具取付部材が取着される被取着部材に対向する面に、滑り止めとなる滑り止め部を設けることにより、取り付けられる壁材に対して滑りにくくなり施工安定性が向上する、優れる配線器具取付部材を提供できる。また、大略矩形状に形成され、少なくとも一部の角部を円弧状に形成してなることにより、壁に形成された取付口を通して壁裏に配設する後付け施工がし易くなり、かつ、強度も確保できる、優れる配線器具取付部材を提供できる。
【００５１】
［第４の実施の形態］
この配管取付枠１は、壁裏の造営材Ａに取り付けるための造営材取付部２と、造営材取付部２から連設されて配線器具Ｓを取り付けるための配線器具取付部４を有する連設部３と、造営材取付部２と連設部３とで囲まれるとともに壁裏の奥行方向に貫通する開口部１０１と、を備え、連設部３には、管Ｃを保持する管保持部５を設けてなる。この構成により、壁裏側からの結線作業ができ、壁裏の奥行スペースが狭い場合にも設置できるようになり、しかも、配線に先立って配管される管Ｃを保持しておくことができる、という従来にはない効果を得ることができ、使い勝手がよく、良好に使用することができる。
【００５２】
管保持部５は、管Ｃを内方に直接保持するよう設けてなる。これにより、管Ｃを保持するためにアダプタＥのような他部材を使用する必要がなくなり、保持作業の手間や部材を省いて良好に保持させることができる。また、管保持部５は、大略筒状に設けてなる。これにより、管Ｃの保持範囲が軸方向に広くなり、安定した保持状態を得ることができる。また、管保持部５は、開口部１０１外方に突設してなる。これにより、開口部１０１の空間が狭くなることがなく、ケーブルＤの引込み、結線、配線器具Ｓの収容等を、広い空間でもって良好に行うことができる。
【００５３】
また、管保持部５は、少なくとも、管Ｃを保持した状態で管Ｃの周面よりも壁裏の奥側に位置する部分を切り欠いてなる。これにより、壁裏の奥行スペースがさらに狭い場合にも設置できるようになる。また、管保持部５は、管Ｃが側方から挿通するよう切り欠いてなる。これにより、孔形状に対して軸方向から管Ｃを挿通させるよりも容易に挿通させることができる。また、管保持部５は、弾性的に変位するよう切り欠いてなる。これにより、保持すべき管Ｃの外径に大小があっても保持させることができる。また、管保持部５は、切り欠いた部分の近傍に、側方への管Ｃの脱落を防止する逃げ防止部として、抜け止め部５０を設けてなる。これにより、安易に管Ｃが脱落することがなくなる。さらにこの抜け止め部５０は、管Ｃを抱え込むよう対向配設してなる。これにより、管Ｃに密着して保持し、管Ｃががたつくことに起因する脱落も防止することができる。
【００５４】
また、管保持部５は、その外面近傍に、例えば結束バンドやバインド線等の結束線材Ｆを位置決めする位置決め部１０２を設けてなる。これにより、管Ｃを確実に保持するため、管Ｃを固定保持する管保持部５に外周から結束線材Ｆを巻き付けて縛り、配管固定強度を上げる場合において、結束線材Ｆの脱落を防止し、結束線材Ｆを安定した状態で巻き付けることができる。また、管保持部５は、ずれ防止部として、波形管Ｃの谷部に係合する係合突部４１を設けてなる。これにより、管Ｃの軸方向の位置ずれを防止することができる。この係合突部４１は、管Ｃを挟圧するよう設けてもよい。その場合、管Ｃはさらに堅固に保持されることとなる。
【００５５】
この管保持部５は、大略半筒状をなすように形成され、連設部３から外方に突出し、切りかかれた部分が壁裏の奥行方向に面するようにして設けられ、所定外径の管Ｃに対応した内径を有し、管Ｃの周面に沿って半周以上を覆い、略密着当接して、クリップ方式で保持する。ここで、管保持部５の内径を、例えば、一般的に呼び１４、１６と呼ばれる管径のものを保持するために、呼び１４、１６の中間径に設定することにより、１個の保持部で２種類の管径に対応することができる。
【００５６】
管保持部５の内面側には、内方に突出する係合突部４１が設けられ、管保持部５の先端部は、抜け止め部５０として機能する。また、管保持部５の外面には、結束線材Ｆが係止して位置決めされる溝状の位置決め部１０２が、切りかかれた部分の反対側の角部に、都合２個所設けられる。また、管保持部５の、切りかかれた部分の反対側には、抜き孔１０３が設けられている。このような抜き孔１０３を設けておくことによって、配管保持部５の形状を、配管取付枠１の他の部分と同時に、簡略に金型成形することができ、製造効率が向上する。
【００５７】
この管保持部５による管Ｃの保持は、管Ｃを側方から押し込むことにより行われる。その際、抜け止め部５０間の距離が、管Ｃの外径よりも小さいので、管Ｃを押し込む力により、管保持部５が弾性的に変位して広がる。そして、管Ｃが内方に収まると、管保持部５は弾性的に変位して狭まり、元の位置に戻って管Ｃを保持する。この状態で、管Ｃは管保持部５に抱え込まれて挟圧保持されているので、安易に外れることはない。一方、管Ｃを意図的に外したい場合には、管Ｃを外方に押圧することによって、管保持部５が弾性的に変位して広がり、外すことができるようになっている。
【００５８】
また、造営材取付部２、連設部３、管保持部５の、壁裏面に対向する部分、本実施形態では、造営材取付部２の壁裏面に対向する端面の長さ方向両端近傍に都合４個所、壁裏面に食い込み係止し得る滑り止め部として、食い込み突部３１を設けてなる。これにより、石膏ボード７等の壁材を挟圧するようにして配線器具取付部材と配線器具保持プレート８とをねじで共締め固定したい場合、従来の配線器具取付部材であれば、壁材裏面に対して滑ってしまい、良好に取付けることができないおそれがあったが、本発明によれば、配線器具取付部材が滑ることなく、良好に取付けることができる。
【００５９】
また、造営材取付部２、連設部３は、平面視大略矩形状の枠をなすよう設けてなる。これにより、従来例として説明したスイッチベースのような、ボックスタイプでない配線器具取付部材に比して強度を強くすることができる。また、造営材取付部２、連設部３は、壁裏面に対向する部分、より具体的には、造営材取付部２、連設部３からなる周壁の壁表側の端面に、張り出し縁部１０４を設けてなる。これにより、石膏ボード７等の壁材を挟圧するようにして配線器具取付部材と配線器具保持プレート８とをねじで共締め固定したい場合、従来の配線器具取付部材であれば、壁材裏面への当接面積が狭い分、壁表側に引っ張られたときに壁材に局所的に力がかかって壁材が損傷するおそれがあるが、本発明によれば、当接面積が広い分だけ力が分散されるので、壁材の損傷を防ぐことができる。さらに、造営材取付部２、連設部３からなる周壁には、補強板部１０５が立設してあるので、自己の強度もより向上したものとなっている。
【００６０】
また、造営材取付部２、連設部３に、ケーブルＤを内方に保持するケーブル保持部６を設けてなる。これにより、配線器具Ｓに結線するためのケーブルＤを、配管取付枠１の近傍に配置しておくことができ、結線作業を速やかに行うことができ、壁表側から作業を行う場合も、壁裏側のケーブルＤを探したり、ケーブルＤに手が届かない等の支障がなく、良好に作業を行うことができる。また、ケーブル保持部６は、ケーブルＤを側方から導入し得るよう導入部６ａを設けてなる。これにより、ケーブルＤを引っかけるようにして保持させることができ、孔に対して軸方向からケーブルＤを挿通させるよりも容易に挿通させることができる。また、ケーブル保持部６は、導入部６ａ近傍に、ケーブルＤの脱落を防止する引っ掛かり部６ｂを設けてなる。これにより、保持させたケーブルＤが安易に脱落することがなくなる。また、ケーブル保持部６は、導入部６ａを、開口部１０１の内方から外方に向かう方向にケーブルＤが導入されるよう設けてなる。これにより、ケーブルＤが、配管取付枠１から遠ざかる方向に脱落するのを確実に防止することができ、仮に脱落したとしても、配管取付枠１の近傍にとどまるようになる。
【００６１】
このケーブル保持部６は、造営材取付部２の長さ方向両端部に一対設けられ、壁裏の奥行方向側の端面を基端として、壁裏の奥行方向に立設された後連設部３に沿って開口部１０１内方に向かって大略Ｌ字状に屈曲した棒状のものである。ケーブル保持部６の先端部は、壁表側に屈曲され、引っ掛かり部６ｂが設けられる。このケーブル保持部６と連設部３との間の空間が、ケーブルＤの保持空間となっており、引っ掛かり部６ｂ先端と連設部３との間がケーブルＤの導入部６ａとなっており、ケーブルＤは、一方のケーブル保持部６から他方のケーブル保持部６に向かう方向に挿通させることもできるし、両方のケーブル保持部６に側方から同時に挿通させることもできる。
【００６２】
［第５の実施の形態］
この配管取付枠１の管保持部５は、一の外径の管Ｃに対応する部分と他の外径の管Ｃに対応する部分とを軸方向に連設してなる。これにより、複数種類の外径の管Ｃに対応して保持することができる。より具体的には、比較的小径な管Ｃに対応する第１保持部５ａと、比較的大径な管Ｃに対応する第２保持部５ｂとが、第２保持部５ｂがより外方に位置するように同軸状に設けられ、第１保持部５ａの軸方向端面が、段差部５３として、第２保持部５ｂに保持される管Ｃの保持位置を規定する。これにより、第１保持部５ａと第２保持部５ｂとを良好に使い分けることができる。すなわち、第１保持部５ａを使用する場合には、第１保持部５ａと第２保持部５ｂの両方を通過するように管Ｃを保持させればよいし、第２保持部５ｂを使用する場合には、段差部５３に管Ｃの端面がつきあたるように保持させればよい。
【００６３】
また、本実施形態においては、管保持部５を並列配設している。これにより、いわゆる送り配線に良好に対応することができる。また、この管保持部５における結束線材Ｆの位置決め部１０２は、第２保持部５ｂについては、切りかかれた部分の反対側の角部に都合２個所、溝状に設けられ、第１保持部５ａについては、切りかかれた部分の反対側の角部であって、造営材取付部２に面する方の角部に、溝状に設けられ、切りかかれた部分の反対側の角部であって、造営材取付部２に面しない方の角部には、張り出し縁部１０４が張り出しているため、その張り出し縁部１０４に孔状に設けた形となっている。また、隣接する第１保持部５ａ間にも、位置決め部１０２が孔状に設けてある。また、この配管取付枠１のケーブル保持部６は、連設部３に貫通孔１０６を設けてなる。この貫通孔１０６は、管Ｃを保持させるためのアダプタＥの取着が可能なように設けられ、管Ｃを保持するために使用することもできる。すなわち、管Ｃの増設にも対応することができる。
【００６４】
以上、本発明について詳述したが、その構成の一部は、従来の配線器具取付部材においても適用可能である。
【図面の簡単な説明】
【００６５】
【図１】本発明に係る第１の実施の形態の配管取付枠を前方から見た斜視図である。
【図２】上記配管取付枠を後方から見た斜視図である。
【図３】上記配管取付枠を示す図であり、（ａ）は平面図、（ｂ）は正面図である。
【図４】上記配管取付枠を造営材に取り付けた状態を示す正面図である。
【図５】上記配管取付枠の使用状態を示す正面図である。
【図６】本発明に係る第２の実施の形態の配管取付枠を前方から見た斜視図である。
【図７】上記配管取付枠への管の取り付け状態を示す要部側面図である。
【図８】本発明に係る第３の実施の形態の配管取付枠を前方から見た斜視図である。
【図９】上記配管取付枠を後方から見た斜視図である。
【図１０】上記配管取付枠を示す図であり、（ａ）は平面図、（ｂ）は正面図、（ｃ）は側面図である。
【図１１】上記配管取付枠を示す背面図である。
【図１２】上記配管取付枠を造営材に取り付けた状態を示す正面図である。
【図１３】上記配管取付枠の取付方法を示す説明図である。
【図１４】本発明に係る第４の実施の形態の配管取付枠を前方から見た斜視図である。
【図１５】上記配管取付枠を後方から見た斜視図である。
【図１６】上記配管取付枠にて結束線材を用いた場合を示す部分斜視図である。
【図１７】本発明に係る第５の実施の形態の配管取付枠を前方から見た斜視図である。
【図１８】上記配管取付枠を後方から見た斜視図である。
【図１９】上記配管取付枠にてアダプタを用いた配管を示す部分斜視図である。
【図２０】従来のスイッチベースを示す斜視図である。
【符号の説明】
【００６６】
１  配管取付枠
２  造営材取付部
２１  爪部（滑り止め部）
３  連設部
３１  爪部（滑り止め部）
４  配線器具取付部
４１  ずれ防止部
５  管保持部（縛り部材）
５０  逃げ防止部
５１  挟持突部
５３  段差部
６  ケーブル保持部
Ａ  造営材
Ｃ  可撓電線管（管）
Ｄ  ケーブル
Ｓ  配線器具
【図１】
2008125350.tif 000003
【図２】
2008125350.tif 000004
【図３】
2008125350.tif 000005
【図４】
2008125350.tif 000006
【図５】
2008125350.tif 000007
【図６】
2008125350.tif 000008
【図７】
2008125350.tif 000009
【図８】
2008125350.tif 000010
【図９】
2008125350.tif 000011
【図１０】
2008125350.tif 000012
【図１１】
2008125350.tif 000013
【図１２】
2008125350.tif 000014
【図１３】
2008125350.tif 000015
【図１４】
2008125350.tif 000016
【図１５】
2008125350.tif 000017
【図１６】
2008125350.tif 000018
【図１７】
2008125350.tif 000019
【図１８】
2008125350.tif 000020
【図１９】
2008125350.tif 000021
【図２０】
2008125350.tif 000022